【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
撮像レンズからの光束により形成された被写体像を光電変換する撮像素子と、
前記光束を用いて被写体像の観察を可能とする光学ファインダと、
前記光束を前記光学ファインダに向けて反射する第１の状態と前記光束を前記撮像素子に向けて透過させる第２の状態とに切り換え駆動されるミラーユニットと、
前記光学ファインダに使用者の目が接近したかどうかを検知する接眼検知手段と、
前記ミラーユニットが前記第２の状態に切り換えられている場合に、前記接眼検知手段によって、前記光学ファインダに使用者の目が接近したことが検知されたことに応じて、前記ミラーユニットを前記第２の状態から前記第１の状態に切り換えるように前記ミラーユニットを駆動制御する制御手段と、
撮影指示に応じて前記撮像素子で撮像した画像を記録媒体に記録するように制御する撮影制御手段とを有することを特徴とする撮像装置。
【請求項２】
前記ミラーユニットを前記第１の状態として前記光学ファインダにて被写体像を観察することができる通常撮影モードと、前記ミラーユニットを前記第２の状態として画像表示器にて被写体像を観察することができるライブビュー撮影モードを切り換える撮影モード切換手段を有し、
前記制御手段は、前記撮影モード切換手段によって前記ライブビュー撮影モードに切り換えられており、かつ、前記ミラーユニットが前記第２の状態に切り換えられている場合に、前記接眼検知手段によって、前記光学ファインダに使用者の目が接近したことが検知されたことに応じて、前記ミラーユニットを前記第２の状態から前記第１の状態に切り換えるように前記ミラーユニットを駆動制御するとともに、前記ライブビュー撮影モードから前記通常撮影モードに切り換えるように制御することを特徴とする請求項１に記載の撮像装置。
【請求項３】
前記接眼検知手段によって前記光学ファインダに使用者の目が接近したことが検知された場合に、前記ライブビュー撮影モードを優先するか否かを設定する設定手段を有し、
前記制御手段は、前記ライブビュー撮影モードに切り換えられており、かつ、前記ミラーユニットが前記第２の状態に切り換えられている場合に、前記接眼検知手段によって、前記光学ファインダに使用者の目が接近したことが検知された場合でも、前記設定手段によって前記ライブビュー撮影モードを優先すると設定されていた場合には、前記ミラーユニットの駆動制御を行わず、前記ライブビュー撮影モードから切り換えないことを特徴とする請求項２に記載の撮像装置。
【請求項４】
前記接眼検知手段によって前記光学ファインダに使用者の目が接近したことが検知された場合に、前記通常撮影モードを優先するか否かを設定する設定手段を有し、
前記制御手段は、前記ライブビュー撮影モードに切り換えられており、かつ、前記ミラーユニットが前記第２の状態に切り換えられている場合に、前記接眼検知手段によって、前記光学ファインダに使用者の目が接近したことが検知された場合でも、前記設定手段によって前記通常撮影モードを優先すると設定されていない場合には、前記ミラーユニットの駆動制御を行わず、前記ライブビュー撮影モードから切り換えないことを特徴とする請求項２に記載の撮像装置。
【請求項５】
前記接眼検知手段は、前記通常撮影モードのときよりも前記ライブビュー撮影モードのときの方が、前記光学ファインダに使用者の目が接近したことを検知可能な反応距離を長くすることを特徴とする請求項２乃至４のいずれか１項に記載の撮像装置。
【請求項６】
前記接眼検知手段による前記検知を有効とするか無効とするかを切り換える接眼検知設定手段を更に有することを特徴とする請求項１乃至５のいずれか１項に記載の撮像装置。
【請求項７】
前記ライブビュー表示中に前記接眼検知手段を作動させるか非作動とするかを設定する作動・非作動設定手段を更に有することを特徴とする請求項１乃至５のいずれか１項に記載の撮像装置。
【手続補正２】
【補正対象書類名】明細書
【補正対象項目名】０００８
【補正方法】変更
【補正の内容】
【０００８】
上記目的を達成するために、本発明の撮像装置は、撮像レンズからの光束により形成された被写体像を光電変換する撮像素子と、前記光束を用いて被写体像の観察を可能とする光学ファインダと、前記光束を前記光学ファインダに向けて反射する第１の状態と前記光束を前記撮像素子に向けて透過させる第２の状態とに切り換え駆動されるミラーユニットと、前記光学ファインダに使用者の目が接近したかどうかを検知する接眼検知手段と、前記ミラーユニットが前記第２の状態に切り換えられている場合に、前記接眼検知手段によって、前記光学ファインダに使用者の目が接近したことが検知されたことに応じて、前記ミラーユニットを前記第２の状態から前記第１の状態に切り換えるように前記ミラーユニットを駆動制御する制御手段と、撮影指示に応じて前記撮像素子で撮像した画像を記録媒体に記録するように制御する撮影制御手段とを有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００２１
【補正方法】変更
【補正の内容】
【００２１】
デジタルカメラ２００には、パーソナルコンピュータ（ＰＣ）に代表される外部制御装置３００が接続可能になっており、通信インターフェース回路２２４を介して該パーソナルコンピュータ３００とシステムコントローラ２２３とが通信可能になっている。
【手続補正５】
【補正対象書類名】明細書
【補正対象項目名】００６９
【補正方法】変更
【補正の内容】
【００６９】
（本発明と実施例の対応）
モード設定スイッチ２２９と電子ダイヤルスイッチ２２６が本発明の、光学ファインダにて被写体像を観察することができる通常撮影モードと、画像表示器にて被写体像を観察することができるライブビュー撮影モードを切り換える撮影モード切換手段に相当する。また、接眼検知部用の受光部２２７と投光部２３３が本発明の、光学ファインダに使用者の目が接近したかどうかを検知する接眼検知手段に相当する。また、システムコントローラ２２３が本発明の、接眼検知手段によって光学ファインダに使用者の目が接近したことが検知されたときには、ライブビュー撮影モードから通常撮影モードに切り換えるように制御する、請求項２に記載の制御手段に相当する。
【手続補正６】
【補正対象書類名】明細書
【補正対象項目名】００７０
【補正方法】変更
【補正の内容】
【００７０】
また、イメージセンサ２１０が本発明の撮像素子に、ペンタプリズム２０１、接眼レンズ２０６が光学ファインダに、それぞれ相当する。また、クリックリターンミラー２０２が本発明の、光束を光学ファインダに向けて反射する第１の状態（図１の状態）と光束を撮像素子に向けて透過させる第２の状態とに切り換え駆動されるミラーユニットに相当する。また、システムコントローラ２２３が本発明の、光学ファインダに使用者の目が接近したことが検知されたときには、ミラーユニットを第２の状態から第１の状態に切り換えるようにミラーユニットを駆動制御する、請求項１に記載の制御手段に相当する。
【手続補正７】
【補正対象書類名】図面
【補正対象項目名】図１
【補正方法】変更
【補正の内容】
【図１】
2008259082.tif 000001
【手続補正８】
【補正対象書類名】図面
【補正対象項目名】図５
【補正方法】変更
【補正の内容】
【図５】
2008259082.tif 000002